(57)【要約】      （修正有）【課題】施工前の改質材の溶液がアルカリ性か否かの確認試験は特にしなくても良く、また、施工され、コンクリート構造物が保護されたことが容易に確認でき、しかも写真に撮ることにより簡単に報告用の資料を作製し得、処理後は簡単に除去でき、外観を損ねることのないコンクリート改質、保護材塗布施工確認シールを提供する。【解決手段】コンクリート構造物に、基板３の裏面が接着、剥離自在で、かつ前記基板３の表面にはコンクリート構造物に対するアルカリ溶液からなる改質、保護材施工により呈色反応するリトマス試験紙４が設けられる。リトマス試験紙４は両面テープの一方の剥離紙を剥がして前記基板３の表面に接着され、かつ基板３裏面の接着、剥離手段も両面テープを用いる。基板３の表面には施工箇所の表示が施されている。【選択図】図３
0003134870.tif 000002
【実用新案登録請求の範囲】
【請求項１】
コンクリート構造物に、基板（３）の裏面が接着、剥離自在で、かつ前記基板（３）の表面にはコンクリート構造物に対するアルカリ溶液からなる改質、保護材塗布施工により呈色反応するリトマス試験紙（４）が設けられてなることを特徴とするコンクリート改質、保護材塗布施工確認シール。
【請求項２】
請求項１記載のコンクリート改質、保護材塗布施工確認シールにおいて、前記リトマス試験紙（４）は両面テープ（５）の一方の剥離紙（５ａ）を剥がして前記基板（３）の表面に接着され、かつ基板（３）裏面の接着、剥離手段も両面テープ（５’）からなり、基板（３）の表面には施工箇所の表示が施されたことを特徴とするコンクリート改質、保護材塗布施工確認シール。
【考案の詳細な説明】
【技術分野】
【０００１】
この考案は、橋、トンネル等のコンクリート構造物に対し改質（コンクリートの機能の修復、保護等）の塗布施工が行われたか否かを容易に判別し得る、コンクリート改質および保護材塗布施工確認用のシールに関する。
【背景技術】
【０００２】
コンクリートは、圧縮強度が大で、大きな荷重を支えることができる、任意の造形が可能である、耐火性・耐熱性・耐久性等に優れている、比較的コスト安である等の理由により、土木、建築物等、様々な分野に用いられている。
【０００３】
しかしながら、コンクリートは打設後、養生していく過程で含まれている水分が蒸発して抜け、乾燥収縮によりひび割れが発生する。また、鉄筋の腐食、アルカリ骨材反応等によってもひび割れが生じる。また、酸性雨や海に近い場所では塩害により、直径の大きい細孔や直径の小さい細孔空隙等からなる連続細孔が多数存在し、脆くなり、耐久性が低下する。
【０００４】
このため、コンクリート構造物に対しては有効な改質、保護材をコンクリ−トに深く浸透させコンクリート自体を改質したり保護する必要があり、例えば橋等のコンクリート構造物に対し、無色透明であって液状の浸透性アルカリコンクリ−ト改質材を塗布し、アルカリ処理による改質を行っていた。この種のコンクリートの改質、保護材としては、例えば商品名エバーテスターがある。
【０００５】
この改質、保護材が所定のアルカリ性を有するか否かについては、従来、リトマス紙やＰＨ試験機によって、塗布前に希釈した容器に入れた状態で液の中に試薬を入れたり、リトマス紙を漬けたりする方法で強アルカリである事を確かめ、その後、コンクリート構造物に対し施工を行っていた。
【考案の開示】
【考案が解決しようとする課題】
【０００６】
しかしながら、改質材は無色透明であるため、施工してもコンクリート構造物の所定の部位にきちんと施工したか否かを外観から判別し難く、また、施工前の改質、保護材がアルカリ性のものか否かの確認作業が煩雑である、という課題があった。
【０００７】
この考案は上記のことに鑑み提案されたもので、その目的とするところは、施工前の改質、保護材の溶液がアルカリ性か否かの確認試験は特にしなくても良く、また、施工され、コンクリート構造物が改質、保護されたことが容易に確認でき、しかも写真に撮ることにより簡単に報告用の資料を作製し得、処理後は簡単に除去でき、外観を損ねることのないコンクリート改質、保護材塗布施工確認シールを提供することにある。
【課題を解決するための手段】
【０００８】
請求項１の考案は、コンクリート構造物に、基板３の裏面が接着、剥離自在で、かつ前記基板３の表面にはコンクリート構造物に対するアルカリ溶液からなる改質、保護材塗布施工により呈色反応するリトマス試験紙４が設けられてなることを特徴とする。
請求項２の考案は、請求項１記載のコンクリート改質、保護材塗布施工確認シールにおいて、前記リトマス試験紙４は両面テープ５の一方の剥離紙５ａを剥がして前記基板３の表面に接着され、かつ基板３裏面の接着、剥離手段も両面テープ５’からなり、基板３の表面には施工箇所の表示が施されたことを特徴とする。
【考案の効果】
【０００９】
本考案では、コンクリート構造物に対し裏面が接着、剥離自在な基板３の表面にコンクリート改質、保護材に反応するリトマス試験紙４を設けたため、この基板３を施工が必要なコンクリート構造物の部位に貼っておけば容易に施工場所がわかり、施工後はリトマス試験紙４が変色するため、施工したことを容易に確認できる。
また、それを写真に撮ることにより簡単に報告書用の資料を作成できる。
コンクリート改質、保護材がアルカリ溶液であれば施工によりリトマス試験紙が変色し、アルカリ溶液でなければ変色しないので、事前にコンクリート改質、保護材がアルカリ溶液か否かの試験を省略することができる。
基板３には、施工箇所の表示がなされているため、作業者は容易に施工場所を知ることができる。
また、施工後は簡単に基板３をコンクリート構造物から剥がすことができ、概観を損ねることはない。
【考案を実施するための最良の形態】
【００１０】
以下、図面に沿って本発明の実施例を説明する。
【実施例１】
【００１１】
図１は、川Ｒの上に架けられた橋Ｂのコンクリート躯体１の所望の位置に確認検査チェック２に貼り付けた状態を示す。この確認チェックシール２は、コンクリート躯体１に対しアルカリ性のコンクリート改質、保護材を塗布した場合に呈色反応し、青色に変化するため、これにより、コンクリート改質、保護材がアルカリ性であること、施工が行われたこと、が分かるようになっている。
【００１２】
したがって、例えば、図中左側から右側にわたって施工を行うと、それに従って確認検査チェック用の確認シール２の色が順次変わっていくため、どこまで施工されたか、施工漏れがないか等を視覚を介し容易に確認することができる。
【００１３】
また、色が変わるので、それを写真に撮れば、施工が行われたことを説明する資料を簡単に作成することができる。
【００１４】
図２は、確認検査チェック用の確認シール２の一構成例を示す。
【００１５】
外形がほぼ横長をなす基板３の正面部分の例えば下方に酸性、アルカリ性によって呈色反応を示す横長のリトマス試験紙４が設けられている。上部の空白部分には例えば「施工箇所  NO．」の表示が施され、この確認検査チェック用の確認シール２を被施工場所に貼ることにより、作業者はその部分が施工箇所であること、ＮＯ．の表示によってどこまで施工かが分かる。
【００１６】
そして、コンクリート改質、保護材を被施工場所に塗布すれば、図３（ａ）において、当初ピンク色（中性）をしていたリトマス試験紙４が、図３（ｂ）に示すように、改質材によりアルカリ性となるため、青色に変色するので、施工済みであることを知ることができる。また、塗布量の変更があっても変色には影響はない。
【００１７】
施工するコンクリート構造物が、例えば図４に示すように橋であったり、対象物によっては確認検査チェック用の確認シール２を多く貼って緻密に塗布作業を行わせるようにすることができる。
【００１８】
図５（ａ）（ｂ）は、リトマス試験紙４を基板３に貼るための構成を示す。リトマス試験紙４は市販のものを利用し得る。このリトマス試験紙４に対し、ほぼ同形状の両面テープ５を用意し、一方の剥離紙５ａを剥がし、リトマス試験紙４の裏面に接着剤層５ｂを介し貼り付ける。図５（ｂ）はその状態を示す。この両面テープ５も市販品を利用し得る。
【００１９】
図６（ａ）、（ｂ）は、基板３を被施工場所に貼るようにするための構成例を示す。基板３は例えば薄いプラスチックまたは防水処理が施された紙材で良く、この基板３の裏面に、ほぼ同形状の両面テープ５’の一方の剥離紙５ａ’を剥がし、接着剤層５ｂ’を介し貼り付ければ良い。図６（ｂ）はその状態を示す。
【００２０】
その後に、図５（ｂ）に示したリトマス試験紙４の裏面側の他方の剥離紙５ｃを剥がし、基板３の下方に接着剤層５ｂを介し貼り付ければ、図７に示すような確認検査チェック用の確認シールを構成することができる。
【００２１】
この確認シール２を被施工場所に貼るには、他方の剥離材５ｃ’を剥がし、接着剤層５ｂ’を介し貼り付ければ良い。施工後は、容易に剥がすことができ、コンクリート構造物の外観を損ねることはない。
【実施例２】
【００２２】
図８は確認シール２の他の構成例を示す。この実施例では、図８（ａ）に示すように、リトマス試験紙４の裏面に直接接着剤４ａを塗布し、図８（ｂ）に示すように、基板３の表面の所定の位置に貼り付けるようにしたものである。基板３の裏面には、図６に示した両面テープ５’の接着剤層５ｂ’、他方の剥離紙５ｃ’が設けられている。
【００２３】
この例ではリトマス試験紙４用の両面テープ５が不要になるため、その分、コストを低減することができる。
【００２４】
なお、上記各実施例では、基板３、リトマス試験紙４が横長の形状としたが、例えば楕円形等のその他の形状としても良いことは勿論である。
【００２５】
また、コンクリート構造物としては、橋のコンクリート躯体１を例にとって説明したが、他のコンクリート構造物にも適用できることは勿論である。
【００２６】
また、基板３に「施工箇所」との文字を表示したが、他の文字、マークまたは記号、それらの組み合わせとしても良い。
【図面の簡単な説明】
【００２７】
【図１】橋のコンクリート躯体に本考案を適用した場合の斜視図を示す。
【図２】本考案の確認検査チェック用の確認シールの正面図を示す。
【図３】本考案の確認検査チェック用の確認シールの動作説明図で、（ａ）は施工前、（ｂ）は施工後を示す。
【図４】川にかけられた橋の状態例の説明図を示す。
【図５】（ａ）、（ｂ）は確認シール製造工程を示す。
【図６】（ａ）、（ｂ）は同じく確認シール製造工程を示す。
【図７】完成された確認シールの側面図。
【図８】（ａ）、（ｂ）は本考案の他の確認検査チェックシールの構成例を示す。
【符号の説明】
【００２８】
１            コンクリート躯体
２            確認シール
３            基板
４            リトマス試験紙
５、５’      両面テープ
５ａ、５ａ’  一方の剥離紙
５ｂ、５ｂ’  接着剤層
Ｂ            橋
Ｒ            川
【図１】
0003134870.tif 000003
【図２】
0003134870.tif 000004
【図３】
0003134870.tif 000005
【図４】
0003134870.tif 000006
【図５】
0003134870.tif 000007
【図６】
0003134870.tif 000008
【図７】
0003134870.tif 000009
【図８】
0003134870.tif 000010
【手続補正書】
【提出日】平成19年6月14日(2007.6.14)
【手続補正１】
【補正対象書類名】実用新案登録請求の範囲
【補正対象項目名】全文
【補正方法】変更
【補正の内容】
【実用新案登録請求の範囲】
【請求項１】
基板（３）の裏面が接着、剥離自在で、かつ前記基板（３）の表面にはコンクリート構造物に対するアルカリ溶液からなる改質、保護材塗布施工により呈色反応するリトマス試験紙（４）が設けられてなることを特徴とするコンクリート改質、保護材塗布施工確認シール。
【請求項２】
請求項１記載のコンクリート改質、保護材塗布施工確認シールにおいて、前記リトマス試験紙（４）は両面テープ（５）の一方の剥離紙（５ａ）を剥がして前記基板（３）の表面に接着され、かつ基板（３）裏面の接着、剥離手段も両面テープ（５’）からなり、基板（３）の表面には施工箇所の表示が施されたことを特徴とするコンクリート改質、保護材塗布施工確認シール。
【手続補正２】
【補正対象書類名】明細書
【補正対象項目名】０００８
【補正方法】変更
【補正の内容】
【０００８】
請求項１の考案は、基板３の裏面が接着、剥離自在で、かつ前記基板３の表面にはコンクリート構造物に対するアルカリ溶液からなる改質、保護材塗布施工により呈色反応するリトマス試験紙４が設けられてなることを特徴とする。
請求項２の考案は、請求項１記載のコンクリート改質、保護材塗布施工確認シールにおいて、前記リトマス試験紙４は両面テープ５の一方の剥離紙５ａを剥がして前記基板３の表面に接着され、かつ基板３裏面の接着、剥離手段も両面テープ５’からなり、基板３の表面には施工箇所の表示が施されたことを特徴とする。